(57)【要約】【課題】プラグインユニットを抜去する際のレバーの操作を一時的に制限する。【解決手段】プラグインユニットは、前面板を有し、他の筐体に挿抜可能な筐体と、筐体に回動可能に設けられ、筐体が他の筐体に挿入された状態で操作者の操作に応じて回動して筐体の抜去方向の力を筐体に付与するレバーと、レバーにスライド可能に設けられ、筐体が他の筐体に挿入された状態で前面板に形成された係合孔に係合してレバーの回動をロックするロック部材と、ロック部材と前面板の係合孔との係合が解除される方向へのロック部材のスライドに連動して、レバーの回動を一時的に規制する回動規制機構と、を有する。【選択図】図３
2019212720.tif 000002
【特許請求の範囲】
【請求項１】
前面板を有し、他の筐体に挿抜可能な筐体と、
前記筐体に回動可能に設けられ、前記筐体が前記他の筐体に挿入された状態で操作者の操作に応じて回動して前記筐体の抜去方向の力を前記筐体に付与するレバーと、
前記レバーにスライド可能に設けられ、前記筐体が前記他の筐体に挿入された状態で前記前面板に形成された係合孔に係合して前記レバーの回動をロックするロック部材と、
前記ロック部材と前記前面板の係合孔との係合が解除される方向への前記ロック部材のスライドに連動して、前記レバーの回動を一時的に規制する回動規制機構と、
を有することを特徴とするプラグインユニット。
【請求項２】
前記回動規制機構は、
前記ロック部材と前記前面板の係合孔との係合が解除される方向への前記ロック部材のスライドを検出する検出器と、
前記前面板にスライド可能に取り付けられたスライド板と、
前記前面板に前記スライド板の一部と対向するように固定され、前記ロック部材のスライドが検出されると、磁力により前記スライド板を前記前面板の係合孔を塞ぐ方向に一時的にスライドさせて前記係合の解除を阻止する電磁石と、
を有することを特徴とする請求項１に記載のプラグインユニット。
【請求項３】
前記ロック部材は、前記ロック部材に回動可能に設けられ、前記ロック部材と前記前面板の係合孔との係合に伴って回動して前記スライド板に形成された係合孔に係合し、前記ロック部材のスライドに連動して前記前面板の係合孔を塞ぐ方向へ前記スライド板を引っ張る係合爪を有することを特徴とする請求項２に記載のプラグインユニット。
【請求項４】
前記係合爪は、前記前面板の係合孔の周囲に形成された壁に当接すると、回動して前記スライド板の係合孔から外れることを特徴とする請求項３に記載のプラグインユニット。
【請求項５】
前記回動規制機構は、
前記ロック部材と前記前面板の係合孔との係合が解除される方向への前記ロック部材のスライドを検出する検出器と、
前記レバーに形成された突起部の周囲に配置されたフック部材と、
前記フック部材に連結され、前記ロック部材のスライドが検出されると、前記フック部材を前記レバーの突起部に一時的に掛止させて前記レバーの回動を規制するアクチュエータと、
を有することを特徴とする請求項１に記載のプラグインユニット。
【請求項６】
第１の筐体と、
前記第１の筐体に挿入されて前記第１の筐体内の基板に電気的に接続されるプラグインユニットと、を有し、
前記プラグインユニットは、
前面板を有し、前記第１の筐体に挿抜可能な第２の筐体と、
前記第２の筐体に回動可能に設けられ、前記第２の筐体が前記第１の筐体に挿入された状態で前記第２の筐体の抜去方向の力を前記第２の筐体に付与するための方向に回動されるレバーと、
前記レバーにスライド可能に設けられ、前記第２の筐体が前記第１の筐体に挿入された状態で前記前面板に形成された係合孔に係合して前記レバーの回動をロックするロック部材と、
前記ロック部材と前記前面板の係合孔との係合が解除される方向への前記ロック部材のスライドに連動して、前記レバーの回動を一時的に規制する回動規制機構と、
を有することを特徴とする電子装置。
【発明の詳細な説明】
【技術分野】
【０００１】
本発明は、プラグインユニット及び電子装置に関する。
【背景技術】
【０００２】
ブレード型のサーバ装置等の電子装置では、プラグインユニット（ＰＩＵ：Plug-in  Unit）に回動可能に設けられたレバーを用いて、電子装置に対するＰＩＵの挿抜が行われるのが一般的である。ＰＩＵに回動可能に設けられたレバーは、梃子としての機能を有する。すなわち、電子装置に対してＰＩＵが挿入される場合には、操作者の操作によってレバーがＰＩＵの前面板へ近づく方向に回動され、梃子の作用によりレバーを介してＰＩＵの挿入方向の力がＰＩＵに付与される。ＰＩＵは、電子装置に挿入されることにより、電子装置内の基板に電気的に接続される。一方、電子装置からＰＩＵが抜去される場合には、操作者の操作によってレバーがＰＩＵの前面板から離れる方向に回動され、梃子の作用によりレバーを介してＰＩＵの抜去方向の力がＰＩＵに付与される。
【先行技術文献】
【特許文献】
【０００３】
【特許文献１】特開平５−２５９６６２号公報
【特許文献２】特開２０１１−２５４０５２号公報
【発明の概要】
【発明が解決しようとする課題】
【０００４】
ところで、ＰＩＵでは、レバーの回動をロックするロック部材がレバーに対してスライド可能に設けられている。ロック部材は、ＰＩＵが電子装置に挿入された状態でＰＩＵの前面板に形成された係合孔に係合してレバーの回動をロックする。電子装置からＰＩＵが抜去される場合には、まず、レバーに対してロック部材がスライドされることによって、ロック部材と前面板の係合孔との係合が解除される。その後、操作者の操作によってレバーが回動され、レバーを介してＰＩＵの抜去方向の力がＰＩＵに付与される。
【０００５】
しかしながら、ロック部材と前面板の係合孔との係合が解除された直後にレバーの操作が行われると、ＰＩＵと電子装置内の基板との電気的な接続を遮断するための通信が未だ完了していない状態で電子装置からＰＩＵが抜去されることがある。ＰＩＵと電子装置内の基板との電気的な接続を遮断するための通信が未だ完了していない状態で電子装置からＰＩＵが抜去されると、電子装置からＰＩＵへのアクセスが継続されるので、電子装置側で通信エラーが発生する虞がある。そこで、ＰＩＵを抜去する際のレバーの操作を一時的に制限することが期待されている。
【０００６】
開示の技術は、上記に鑑みてなされたものであって、プラグインユニットを抜去する際のレバーの操作を一時的に制限することができるプラグインユニット及び電子装置を提供することを目的とする。
【課題を解決するための手段】
【０００７】
本願の開示するプラグインユニットは、一つの態様において、前面板を有し、他の筐体に挿抜可能な筐体と、前記筐体に回動可能に設けられ、前記筐体が前記他の筐体に挿入された状態で操作者の操作に応じて回動して前記筐体の抜去方向の力を前記筐体に付与するレバーと、前記レバーにスライド可能に設けられ、前記筐体が前記他の筐体に挿入された状態で前記前面板に形成された係合孔に係合して前記レバーの回動をロックするロック部材と、前記ロック部材と前記前面板の係合孔との係合が解除される方向への前記ロック部材のスライドに連動して、前記レバーの回動を一時的に規制する回動規制機構と、を有する。
【発明の効果】
【０００８】
本願の開示するプラグインユニットの一つの態様によれば、プラグインユニットを抜去する際のレバーの操作を一時的に制限することができるという効果を奏する。
【図面の簡単な説明】
【０００９】
【図１】図１は、実施例１に係る電子装置の外観構成の一例を示す斜視図である。
【図２】図２は、実施例１に係るＰＩＵの外観構成の一例を示す斜視図である。
【図３】図３は、実施例１に係るＰＩＵの内部構成の一例を示す斜視図である。
【図４】図４は、実施例１に係るＰＩＵの内部構成の一例を示す平面図である。
【図５】図５は、実施例１に係るＰＩＵの抜去方法の一例を示すフローチャートである。
【図６】図６は、実施例１に係るＰＩＵの抜去方法の一例を説明するための図である。
【図７】図７は、実施例１に係るＰＩＵの抜去方法の一例を説明するための図である。
【図８】図８は、実施例１に係るＰＩＵの抜去方法の一例を説明するための図である。
【図９】図９は、実施例２に係るＰＩＵの内部構成の一例を示す斜視図である。
【図１０】図１０は、実施例２に係るＰＩＵの内部構成の一例を示す平面図である。
【図１１】図１１は、実施例３に係るＰＩＵの内部構成の一例を示す斜視図である。
【図１２】図１２は、実施例３に係るＰＩＵの内部構成の一例を示す平面図である。
【発明を実施するための形態】
【００１０】
以下に、本願の開示する電子装置の実施例を図面に基づいて詳細に説明する。なお、この実施例により開示技術が限定されるものではない。
【実施例１】
【００１１】
［電子装置１の構成］
図１は、実施例１に係る電子装置１の外観構成の一例を示す斜視図である。図１に示す電子装置１は、例えば、図示しないラックに着脱自在に取り付けられるブレード型のサーバ装置等である。電子装置１は、筐体１０を有する。筐体１０は、底板、底板に対向する天板、互いに対向する一対の側壁、前面及び背面を有する箱体である。なお、図１において、筐体１０の表面のうち紙面の手前側の面を筐体１０の前面とし、紙面の奥側の面を筐体１０の背面とする。筐体１０の内部には、プリント回路板である基板（不図示）が収納されている。筐体１０の前面には、複数のスロットが形成されている。筐体１０の前面の各スロットは、筐体１０の底板に設けられたレール１１によって区画されている。筐体１０の前面の各スロットには、レール１１に沿ってプラグインユニット（ＰＩＵ：Plug-in  Unit）２０が挿入される。これにより、ＰＩＵ２０は、筐体１０内の基板にプリントされた回路と電気的に接続される。
【００１２】
［ＰＩＵ２０の構成］
図２は、実施例１に係るＰＩＵ２０の外観構成の一例を示す斜視図である。図３は、実施例１に係るＰＩＵ２０の内部構成の一例を示す斜視図である。図４は、実施例１に係るＰＩＵ２０の内部構成の一例を示す平面図である。なお、図２において、紙面の手前側が筐体１０の前面側に相当する。また、図３において、紙面の奥側が筐体１０の前面側に相当する。また、図４において、紙面の上側が筐体１０の前面側に相当する。
【００１３】
図２〜図４に示すように、ＰＩＵ２０は、筐体１０に挿抜可能な筐体２１と、レバー２２と、ロック部材２３とを有する。筐体２１は、前面板２１ａを有する。前面板２１ａには、開口２１ａ−１が形成されている。開口２１ａ−１には、光信号を送受信するプラガブル型の光モジュールが差し込まれる。
【００１４】
レバー２２は、筐体２１に回動可能に設けられており、筐体１０に対するＰＩＵ２０の挿抜時に操作者によって操作されるレバーである。レバー２２は、カードレバーとも呼ばれる。レバー２２は、梃子としての機能を有する。すなわち、レバー２２の基端部２２１は、筐体２１の底板に設けられて梃子の支点となる回転軸２２３によって回動可能に支持されており、レバー２２の先端部２２２は、操作者の操作に基づく力を受ける梃子の力点を形成する。また、レバー２２の基端部２２１には、突起部２２１ａが形成されており、突起部２２１ａは、筐体１０側のレール１１の溝１１ａに係合されて梃子の作用点を形成する。
【００１５】
筐体１０に対してＰＩＵ２０が挿入される場合には、操作者の操作によってレバー２２が筐体２１の前面板２１ａへ近づく方向に回動され、梃子の作用によりレバー２２を介してＰＩＵ２０の挿入方向の力が筐体２１に付与される。これにより、筐体１０に対してＰＩＵ２０（すなわち、筐体２１）が挿入される。一方、筐体１０からＰＩＵ２０が抜去される場合には、操作者の操作によってレバー２２が筐体２１の前面板２１ａから離れる方向に回動され、梃子の作用によりレバー２２を介してＰＩＵ２０の抜去方向の力が筐体２１に付与される。これにより、筐体１０からＰＩＵ２０（すなわち、筐体２１）が抜去される。
【００１６】
ロック部材２３は、レバー２２にスライド可能に設けられている。ロック部材２３は、筐体２１が筐体１０に挿入された状態で筐体２１の前面板２１ａに形成された係合孔２１ｂに係合してレバー２２の回動をロックする。すなわち、ロック部材２３は、フック部２３１を有し、前面板２１ａの係合孔２１ｂに挿通されたフック部２３１を後述のスライド板３２を介して前面板２１ａの裏面へ掛止させることより、レバー２２の回動をロックする。ロック部材２３とレバー２２の先端部２２２との間には、図示しない付勢部材が介挿されており、ロック部材２３は、付勢部材の付勢力によって矢印Ａの方向（以下「方向Ａ」と呼ぶ）とは反対の方向に付勢されている。ロック部材２３と前面板２１ａの係合孔２１ｂとの係合は、ロック部材２３が付勢部材の付勢力に抗して方向Ａにスライドされることによって、解除され得る。方向Ａは、ロック部材２３と前面板２１ａの係合孔２１ｂとの係合が解除される方向の一例である。
【００１７】
また、ＰＩＵ２０は、図３及び図４に示すように、筐体２１の内部に回動規制機構３０を有する。回動規制機構３０は、ロック部材２３と前面板２１ａの係合孔２１ｂとの係合が解除される方向Ａへのロック部材２３のスライドに連動して、レバー２２の回動を一時的に規制する。回動規制機構３０は、検出器３１と、スライド板３２と、電磁石３３とを有する。検出器３１と電磁石３３とは、図示しない制御回路に接続されている。
【００１８】
検出器３１は、ロック部材２３と前面板２１ａの係合孔２１ｂとの係合が解除される方向Ａへのロック部材２３のスライドを検出する。例えば、検出器３１は、接点スイッチであり、検出器３１とロック部材２３とが当接している場合に、ＯＮ信号を制御回路へ出力し、ロック部材２３が方向Ａへスライドされて検出器３１から離反した場合に、制御回路へのＯＮ信号の出力を停止する。制御回路は、検出器３１からのＯＮ信号の出力の有無を判定することにより、方向Ａへのロック部材２３のスライドを監視する。
【００１９】
スライド板３２は、前面板２１ａに固定されたスライドレール３２ａを介して前面板２１ａにスライド可能に取り付けられている。スライド板３２の一部は、電磁石３３に対向するように折り曲げられている。折り曲げられたスライド板３２の一部には、永久磁石３２ｂが取り付けられている。
【００２０】
電磁石３３は、スライド板３２の一部（すなわち、永久磁石３２ｂ）と対向するように前面板２１ａに固定されている。電磁石３３は、検出器３１によってロック部材２３のスライドが検出されていない期間にＯＦＦされており、電磁石３３の芯に永久磁石３２ｂを吸着して、前面板２１ａの係合孔２１ｂが開放される初期位置にスライド板３２を固定する。電磁石３３は、検出器３１によってロック部材２３のスライドが検出されると、制御回路によってＯＮされて永久磁石３２ｂの磁力と反発する磁力を発生させる。そして、電磁石３３は、永久磁石３２ｂの磁力と反発する磁力によりスライド板３２を前面板２１ａの係合孔２１ｂを塞ぐ方向に一時的にスライドさせてスライド板３２をロック部材２３に干渉させる。これにより、ロック部材２３と前面板２１ａの係合孔２１ｂとの係合の解除が一時的に阻止される。
【００２１】
ところで、電子装置１では、ロック部材２３と前面板２１ａの係合孔２１ｂとの係合が解除されてからレバー２２の操作が行われるまでの期間に、ＰＩＵ２０と筐体１０内の基板との電気的な接続を遮断するための通信が行われる。例えば、筐体１０内の基板は、ロック部材２３と前面板２１ａの係合孔２１ｂとの係合が解除されてからレバー２２の操作が行われるまでの期間に、ＰＩＵ２０にアクセスして電気的な接続を停止する停止コマンドを送出する。停止コマンドの送出にかかる処理時間、つまり、ＰＩＵ２０と筐体１０内の基板との電気的な接続を遮断するための通信にかかる処理時間は、数秒程度である。
【００２２】
しかしながら、ロック部材２３と前面板２１ａの係合孔２１ｂとの係合が解除された直後にレバー２２の操作が行われると、ＰＩＵ２０と筐体１０内の基板との電気的な接続を遮断するための通信が未だ完了していない状態で筐体１０からＰＩＵ２０が抜去される。ＰＩＵ２０と筐体１０内の基板との電気的な接続を遮断するための通信が未だ完了していない状態で筐体１０からＰＩＵ２０が抜去されると、筐体１０からＰＩＵ２０へのアクセスが継続されるので、筐体１０内の基板側で通信エラーが発生する虞がある。
【００２３】
そこで、電子装置１では、回動規制機構３０は、ロック部材２３と前面板２１ａの係合孔２１ｂとの係合が解除される方向Ａへのロック部材２３のスライドに連動して、レバー２２の回動を一時的に規制する。
【００２４】
これにより、ロック部材２３と前面板２１ａの係合孔２１ｂとの係合が解除される方向Ａへロック部材２３がスライドされた場合であっても、レバー２２の回動が一時的に規制される。このため、電子装置１は、ＰＩＵ２０を抜去する際のレバー２２の操作を一時的に制限することができる。その結果、ロック部材２３と前面板２１ａの係合孔２１ｂとの係合が解除された直後にレバー２２の操作が行われる事態が回避され、通信エラーの発生が抑制される。
【００２５】
［筐体１０からのＰＩＵ２０の抜去方法］
次に、筐体１０からのＰＩＵ２０の抜去方法について説明する。図５は、実施例１に係るＰＩＵ２０の抜去方法の一例を示すフローチャートである。図６〜図８は、実施例１に係るＰＩＵ２０の抜去方法の一例を説明するための図である。初期状態では、ＰＩＵ２０（つまり、筐体２１）は、筐体１０に挿入されており、ロック部材２３は、図４に示すように、筐体２１の前面板２１ａの係合孔２１ｂに係合してレバー２２の回動をロックしているものとする。
【００２６】
図５に示すように、検出器３１に接続された制御回路によって検出器３１からのＯＮ信号の出力の有無が判定されて、方向Ａへのロック部材２３のスライドが監視される（ステップＳ１１）。検出器３１によって方向Ａへのロック部材２３のスライドが検出されない場合、すなわち、検出器３１から制御回路へＯＮ信号が出力されている場合（ステップＳ１２Ｎｏ）、処理がステップＳ１１に戻され、制御回路による監視が継続される。
【００２７】
検出器３１によって方向Ａへのロック部材２３のスライドが検出された場合、すなわち、検出器３１から制御回路へのＯＮ信号の出力が停止された場合（ステップＳ１２Ｙｅｓ）、制御回路によって電磁石３３がＯＮされる（ステップＳ１３）。ＯＮされた電磁石３３は、スライド板３２の一部に取り付けられた永久磁石３２ｂの磁力と反発する磁力を発生させる。電磁石３３と永久磁石３２ｂとの反発により、スライド板３２は、前面板２１ａの係合孔２１ｂが開放される初期位置（図４参照）から、図６及びステップＳ１４に示すように、前面板２１ａの係合孔２１ｂを塞ぐ方向にスライドする。これにより、スライド板３２は、図６に示すように、ロック部材２３のフック部２３１に干渉する。
【００２８】
続いて、電磁石３３がＯＮに維持されたまま制御回路によって所定時間だけ待機される（ステップＳ１５）。これにより、ロック部材２３と前面板２１ａの係合孔２１ｂとの係合の解除が一時的に阻止される。制御回路によって待機される所定時間は、ＰＩＵ２０と筐体１０内の基板との電気的な接続を遮断するための通信の完了を許容する時間に適宜調整される。
【００２９】
所定時間が経過すると、制御回路によって電磁石３３がＯＦＦされる（ステップＳ１６）。スライド板３２の一部に取り付けられた永久磁石３２ｂがＯＦＦされた電磁石３３の芯に引き寄せられることにより、スライド板３２は、図７及びステップＳ１７に示すように、前面板２１ａの係合孔２１ｂを開放する方向にスライドする。これにより、スライド板３２は、図７に示すように、ロック部材２３のフック部２３１から外れる。これにより、ロック部材２３と前面板２１ａの係合孔２１ｂとの係合が解除され、ロック部材２３によるレバー２２の回動のロックが解除される。
【００３０】
その後、操作者の操作によってレバー２２が、図８に示すように、筐体２１の前面板２１ａから離れる方向に回動され、梃子の作用によりレバー２２を介してＰＩＵ２０の抜去方向（矢印Ｂの方向）の力が筐体２１に付与される。これにより、筐体１０からＰＩＵ２０（すなわち、筐体２１）が抜去される。
【００３１】
以上のように、実施例１に係るＰＩＵ２０は、筐体２１と、レバー２２と、ロック部材２３と、回動規制機構３０とを有する。筐体２１は、前面板２１ａを有し、電子装置１の筐体１０に挿抜可能な筐体である。レバー２２は、筐体２１に回動可能に設けられ、筐体２１が筐体１０に挿入された状態で操作者の操作に応じて回動して筐体２１の抜去方向の力を筐体２１に付与する。ロック部材２３は、レバー２２にスライド可能に設けられ、筐体２１が筐体１０に挿入された状態で前面板２１ａに形成された係合孔２１ｂに係合してレバー２２の回動をロックする。回動規制機構３０は、ロック部材２３と前面板２１ａの係合孔２１ｂとの係合が解除される方向Ａへのロック部材２３のスライドに連動して、レバー２２の回動を一時的に規制する。
【００３２】
このＰＩＵ２０の構成により、ロック部材２３と前面板２１ａの係合孔２１ｂとの係合が解除される方向Ａへロック部材２３がスライドされた場合であっても、レバー２２の回動が一時的に規制される。このため、電子装置１は、ＰＩＵ２０を抜去する際のレバー２２の操作を一時的に制限することができる。その結果、ロック部材２３と前面板２１ａの係合孔２１ｂとの係合が解除された直後にレバー２２の操作が行われる事態が回避され、通信エラーの発生が抑制される。
【００３３】
また、実施例１に係るＰＩＵ２０において、回動規制機構３０は、検出器３１と、スライド板３２と、電磁石３３とを有する。検出器３１は、ロック部材２３と前面板２１ａの係合孔２１ｂとの係合が解除される方向Ａへのロック部材２３のスライドを検出する。スライド板３２は、前面板２１ａにスライド可能に取り付けられる。電磁石３３は、前面板２１ａにスライド板３２の一部と対向するように固定され、ロック部材２３のスライドが検出されると、磁力によりスライド板３２を前面板２１ａの係合孔２１ｂを塞ぐ方向に一時的にスライドさせて係合の解除を阻止する。
【００３４】
このＰＩＵ２０の構成により、ロック部材２３によるレバー２２の回動のロックを一時的に維持することができる。このため、電子装置１は、ＰＩＵ２０を抜去する際のレバー２２の操作をロック部材２３によるレバー２２の回動のロックにより一時的に制限することができる。
【実施例２】
【００３５】
実施例２に係るＰＩＵ２０は、ロック部材２３のスライドに連動してスライド板３２を引っ張る係合爪をロック部材２３に設けた点を除き、実施例１のＰＩＵ２０と同様の構成を有する。したがって、実施例２では、上記実施例１と共通する構成要素には、同一の参照符号を用いる共に、その詳細な説明は省略する。
【００３６】
図９は、実施例２に係るＰＩＵ２０の内部構成の一例を示す斜視図である。図１０は、実施例２に係るＰＩＵ２０の内部構成の一例を示す平面図である。なお、図９において、紙面の奥側が筐体１０の前面側に相当する。また、図１０において、紙面の上側が筐体１０の前面側に相当する。
【００３７】
図９及び図１０に示すように、実施例２に係るＰＩＵ２０において、ロック部材２３は、係合爪２３２を有する。
【００３８】
係合爪２３２は、ロック部材２３（フック部２３１）に回動可能に設けられている。係合爪２３２は、ロック部材２３と前面板２１ａの係合孔２１ｂとの係合に伴って回動してスライド板３２に形成された係合孔３２１に係合する。係合爪２３２とロック部材２３のフック部２３１との間には、図示しない付勢部材が介挿されており、係合爪２３２は、付勢部材の付勢力によってスライド板３２の係合孔に向かって付勢されている。係合爪２３２は、方向Ａへのロック部材２３のスライドに連動して前面板２１ａの係合孔２１ｂを塞ぐ方向へスライド板３２を引っ張る。すなわち、係合爪２３２は、前面板２１ａの係合孔２１ｂを塞ぐ方向へスライド板３２を引っ張ることにより、電磁石３３と永久磁石３２ｂとの反発に基づくスライド板３２のスライドを補助する。そして、係合爪２３２は、前面板２１ａの係合孔２１ｂの周囲に形成された壁２１ｃに当接すると、付勢部材の付勢力に抗して回動してスライド板３２の係合孔３２１から外れる。図１０では、係合爪２３２がスライド板３２の係合孔３２１から外れた状態を示している。
【００３９】
以上のように、実施例２に係るＰＩＵ２０において、ロック部材２３は、係合爪２３２を有する。係合爪２３２は、ロック部材２３に回動可能に設けられ、ロック部材２３と前面板２１ａの係合孔２１ｂとの係合に伴って回動してスライド板３２に形成された係合孔３２１に係合する。そして、係合爪２３２は、ロック部材２３のスライドに連動して前面板２１ａの係合孔２１ｂを塞ぐ方向へスライド板３２を引っ張る。
【００４０】
このＰＩＵ２０の構成により、電磁石３３と永久磁石３２ｂとの反発に基づくスライド板３２のスライドが補助されるので、スライド板３２をロック部材２３に安定的に干渉させることができる。これにより、ロック部材２３と前面板２１ａの係合孔２１ｂとの係合の解除が安定的に阻止され、結果として、ロック部材２３によるレバー２２の回動のロックを安定的に維持することができる。
【実施例３】
【００４１】
実施例３に係るＰＩＵ２０は、回動規制機構の構成を除き、実施例１のＰＩＵ２０と同様の構成を有する。したがって、実施例３では、上記実施例１と共通する構成要素には、同一の参照符号を用いる共に、その詳細な説明は省略する。
【００４２】
図１１は、実施例３に係るＰＩＵ２０の内部構成の一例を示す斜視図である。図１２は、実施例３に係るＰＩＵ２０の内部構成の一例を示す平面図である。なお、図１１において、紙面の奥側が筐体１０の前面側に相当する。また、図１２において、紙面の上側が筐体１０の前面側に相当する。
【００４３】
図１１及び図１２に示すように、実施例３に係るＰＩＵ２０は、回動規制機構３０に代えて回動規制機構４０を有する。回動規制機構４０は、ロック部材２３と前面板２１ａの係合孔２１ｂとの係合が解除される方向Ａへのロック部材２３のスライドに連動して、レバー２２の回動を一時的に規制する。回動規制機構４０は、検出器３１と、フック部材４２と、アクチュエータ４３とを有する。検出器３１とアクチュエータ４３とは、図示しない制御回路に接続されている。
【００４４】
フック部材４２は、レバー２２（基端部２２１）に形成された突起部２２１ｂの周囲に配置されている。フック部材４２の基端部は、筐体２１の底板に設けられた回転軸に回動可能に支持されており、フック部材４２の先端部は、アクチュエータ４３のロッド４３ａに連結部材４２ａを介して連結されている。
【００４５】
アクチュエータ４３は、電磁石を内蔵し、電磁石の磁力によりロッド４３ａを伸縮させるソレノイド型のアクチュエータである。アクチュエータ４３は、検出器３１によってロック部材２３のスライドが検出されていない期間にＯＦＦされており、ロッド４３ａを縮退させて、フック部材４２がレバー２２の突起部２２１ｂに掛止されない退避位置にフック部材４２を固定する。アクチュエータ４３は、検出器３１によってロック部材２３のスライドが検出されると、制御回路によってＯＮされてロッド４３ａを伸張させる。そして、アクチュエータ４３は、ロッド４３ａに連結部材４２ａを介して連結されたフック部材４２を退避位置から回動させ、フック部材４２をレバー２２の突起部２２１ｂに一時的に掛止させてレバー２２の回動を規制する。
【００４６】
以上のように、実施例３に係るＰＩＵ２０において、回動規制機構４０は、検出器３１と、フック部材４２と、アクチュエータ４３とを有する。検出器３１は、ロック部材２３と前面板２１ａの係合孔２１ｂとの係合が解除される方向Ａへのロック部材２３のスライドを検出する。フック部材４２は、レバー２２に形成された突起部２２１ｂの周囲に配置される。アクチュエータ４３は、フック部材４２に連結され、ロック部材２３のスライドが検出されると、フック部材４２をレバー２２の突起部２２１ｂに一時的に掛止させてレバー２２の回動を規制する。
【００４７】
このＰＩＵ２０の構成により、ロック部材２３と前面板２１ａの係合孔２１ｂとの係合が解除される方向Ａへロック部材２３がスライドされた場合であっても、レバー２２の回動が一時的に規制される。このため、電子装置１は、ＰＩＵ２０を抜去する際のレバー２２の操作を一時的に制限することができる。
【符号の説明】
【００４８】
１  電子装置
１０  筐体
２０  ＰＩＵ
２１  筐体
２１ａ  前面板
２１ｂ  係合孔
２１ｃ  壁
２２  レバー
２３  ロック部材
３０、４０  回動規制機構
３１  検出器
３２  スライド板
３３  電磁石
４２  フック部材
４３  アクチュエータ
２２１ａ、２２１ｂ  突起部
２３２  係合爪
【図１】
2019212720.tif 000003
【図２】
2019212720.tif 000004
【図３】
2019212720.tif 000005
【図４】
2019212720.tif 000006
【図５】
2019212720.tif 000007
【図６】
2019212720.tif 000008
【図７】
2019212720.tif 000009
【図８】
2019212720.tif 000010
【図９】
2019212720.tif 000011
【図１０】
2019212720.tif 000012
【図１１】
2019212720.tif 000013
【図１２】
2019212720.tif 000014